(57)【要約】【課題】クイックリターンミラーの停止時のバウンドを少なく抑えることが出来るミラー装置を提供すること。【解決手段】ミラーボックス（１３）内に揺動可能に支持されるミラー部材（１１）の揺動中心部位（１４ａ）、（１４ｂ）に、該ミラー部材１１に生じた変形を低減させる変形低減機構（１５）を装備したミラー装置である。【選択図】      図１
2007322846.tif 000002
【特許請求の範囲】
【請求項１】
ミラーボックス内に揺動可能に支持されるミラー部材の揺動中心部位に、該ミラー部材に生じた変形を低減させる変形低減機構を装備したことを特徴とするミラー装置。
【請求項２】
請求項１に記載のミラー装置において、
前記変形低減機構は、
前記ミラー部材と一体で前記揺動中心部位に設けられたホルダーと、
前記揺動中心部位に設けられ前記ミラーボックスに揺動可能に支持される回転部材と、
前記ホルダーと前記回転部材との間に設けた変形低減部材とを有することを特徴とするミラー装置。
【請求項３】
請求項２に記載のミラー装置において、
前記変形低減部材がシリコンゴムとブチルゴムとの少なくとも一方を含むことを特徴とするミラー装置。
【請求項４】
請求項１乃至３の何れか一項に記載のミラー装置において、
前記ミラー部材の揺動を停止させる停止部材を備え、前記ミラー部材の両端に設けられた２つの揺動中心部位のうち前記停止部材に近い前記揺動中心部位に、前記変形低減機構を装備したことを特徴とするミラー装置。
【請求項５】
請求項４に記載のミラー装置において、
前記ミラーボックスは前記ミラー部材の両端の前記揺動中心部位を揺動可能に支持する互いに対向する２つの壁部を備え、該壁部のうちの何れか一方に、前記変形低減機構を装備した前記ミラー部材の揺動中心部位を支持し、他方に前記揺動中心部位の取り付け位置を調整する位置調整機構を設けたことを特徴とするミラー装置。
【請求項６】
請求項１乃至５の何れか一項に記載のミラー装置において、
前記ミラー部材に、該ミラー部材を透過した光を反射させるサブミラーを揺動可能に装備したことを特徴とするミラー装置。
【請求項７】
請求項５に記載のミラー装置において、
前記サブミラーの揺動中心部位に、請求項１乃至４の何れか一項に記載の変形低減機構を装備したことを特徴とするミラー装置。
【請求項８】
請求項１乃至７の何れかに一項に記載のミラー装置を搭載したことを特徴とするカメラ。
【発明の詳細な説明】
【技術分野】
【０００１】
本発明は、カメラに内蔵されるミラーのバウンドを直ちに減衰させるミラー装置及びこのミラー装置を装備したカメラに関する。
【背景技術】
【０００２】
一眼レフカメラでは、撮像レンズ（対物レンズ）と像面（ＣＣＤなどの撮像素子、フイルム）との間の撮影光路中に所謂クイックリターンミラーが配置される。このクイックリターンミラーは、通常時、撮影光路中の観察位置にあり、撮像レンズから入射する光束を反射させてファインダ光学系に導き、撮影時、レリーズボタンを押圧すると、これに連動して観察位置から撮影光路外の退避位置に移動し、シャッター動作完了後に観察位置に復帰する。すなわち、クイックリターンミラーは、観察位置と退避位置との間で往復移動する。これら観察位置や退避位置にクイックリターンミラーを停止させるのに、例えばピンなどの停止部材に衝突させている。このため、クイックリターンミラー自身がバウンドしてしまう。このバウンドが収まるまで次の動作に移行することが出来ず、待機する必要がある。例えば、連続撮影する場合にクイックリターンミラーのバウンドが収まるまで、測光、測距を待たなければならず、連続撮影コマ数を増加させる際の障害になっている。
【０００３】
バウンドを直ちに減衰させるために、例えば、観察位置や退避位置でそれぞれクイックリターンミラーを電磁石で吸着保持する機構が提案されている（特許文献１）。また、クイックリターンミラーが退避位置に到達する直前でミラーの一部を緩衝部材に当てて運動エネルギー及び速度を減殺させ、この後、停止部材に衝突させて静かに停止させる機構が提案されている（特許文献２）。さらに、クイックリターンミラーと停止部材との衝突によりクイックリターンミラーが受けた運動エネルギーを、バネの歪みエネルギーや摩擦エネルギーに変換して減衰させる機構も提案されている（特許文献３）。
【０００４】
【特許文献１】特開平６−１７５２２３号公報
【特許文献２】特開平５−４５７２３号公報
【特許文献３】特開平７−２６１２６８号公報
【発明の開示】
【発明が解決しようとする課題】
【０００５】
しかし、電磁石でクイックリターンミラーを吸着保持する機構では電磁石を複数個配置するため消費電力が大きくなる課題がある。また、緩衝部材に当てて運動エネルギーなどを減殺する機構では、緩衝部材の耐久性の他に、繰り返し使用している間に緩衝部材が劣化して性能低下につながる課題がある。さらに、クイックリターンミラーが受けた運動エネルギーをバネの歪みエネルギーや摩擦エネルギーに変換する機構では、機構が複雑になる上に、設計変更の対応と搭載するスペースの確保とが難しいなどの課題がある。
【０００６】
本発明者は、これら課題を解決すべく、バウンド現象そのものについて鋭意研究を重ねた結果、バウンド時にクイックリターンミラーに捩れなどの変形（弾性変形）が発生し、この変形がバウンドを長引かせる原因であることを突き止めた。クイックリターンミラーの変形（捩れ振動）を抑えるようにしたところ、バウンドそのものの発生を抑えることができ、発生したとしても直ぐに減衰させることを見出し、本発明をなすに至った。
【０００７】
本発明は、上記事情に鑑みてなされたもので、クイックリターンミラーの停止時のバウンドを少なく抑えることが出来るミラー装置及びこのミラー装置を内蔵したカメラを提供することを目的とする。
【課題を解決するための手段】
【０００８】
上記目的を達成する本発明の請求項１に記載のミラー装置は、ミラーボックス内に揺動可能に支持されるミラー部材の揺動中心部位に、該ミラー部材に生じた変形を低減させる変形低減機構を装備したことを特徴とする。
【０００９】
前記変形低減機構としては、例えばミラー部材に作用する衝撃を緩和してミラー部材に生じた変形を低減させる機構が採用される。
【００１０】
前記ミラー部材に生じた変形としては、例えばミラー部材の捩れが含まれる。変形はミラー部材に作用する衝撃力で生じる弾性変形で、ミラー部材に作用する衝撃力が無くなったとき、元の形状に復帰する。前記低減には、例えば、ミラー部材に作用する捩れ力を吸収して減少する場合が含まれる。
【００１１】
請求項２に記載のミラー装置は、請求項１に記載のミラー装置において、前記変形低減機構が、前記ミラー部材と一体で前記揺動中心部位に設けられたホルダーと、前記揺動中心部位に設けられ前記ミラーボックスに揺動可能に支持される回転部材と、前記ホルダーと前記回転部材との間に設けた変形低減部材とを有することを特徴とする。
【００１２】
前記回転部材としては、例えばミラーボックスに固定される支持軸に回転可能に支持される回転軸受、あるいはミラーボックスに固定される軸受に回転可能に支持される回転軸がある。
【００１３】
前記変形低減部材としては、例えば弾性変形して衝撃を緩和する部材が採用される。
【００１４】
請求項３に記載のミラー装置は、前記変形低減部材がシリコンゴムとブチルゴムとの少なくとも何れか一方を含むことを特徴とする。
【００１５】
請求項４に記載のミラー装置は、前記ミラー部材の揺動を停止させる停止部材を備え、前記ミラー部材の両端に設けられた２つの揺動中心部位のうち前記停止部材に近い前記揺動中心部位に前記変形低減機構を装備したことを特徴とする。
【００１６】
前記停止部材としては、例えば、前記ミラー部材が衝突して停止するピンや棒状部材などが含まれる。
【００１７】
請求項５に記載のミラー装置は、前記ミラーボックスは前記ミラー部材の両端の前記揺動中心部位を揺動可能に支持する互いに対向する２つの壁部を備え、該壁部のうちの何れか一方に前記変形低減機構を装備した前記ミラー部材の揺動中心部位を支持し、他方に前記揺動中心部位の取り付け位置を調整する位置調整機構を設けたことを特徴とする。
【００１８】
請求項６に記載のミラー装置は、前記ミラー部材に該ミラー部材を透過した光を反射させるサブミラーを揺動可能に装備したことを特徴とする。
【００１９】
請求項７に記載のミラー装置は、前記サブミラーの揺動中心部位に、請求項１乃至４の何れか一項に記載の変形低減機構を装備したことを特徴とする。
【００２０】
請求項８に記載のカメラは、請求項１乃至７の何れかに一項に記載のミラー装置を搭載したことを特徴とする。
【発明の効果】
【００２１】
本発明のミラー装置によれば、ミラー部材の揺動中心部位に変形低減機構を装備するので、機構が複雑化したりせずにミラー部材のバウンドが少なく抑えることが可能となる。
【００２２】
本発明のカメラによれば、ミラー部材の揺動中心部位に変形低減機構を有するミラー装置を装備するので、観察位置や退避位置におけるミラー部材のバウンドが収まるまでの待機時間を短くすることが可能となる。
【発明を実施するための最良の形態】
【００２３】
以下本発明のミラー装置、このミラー装置を装備したカメラの実施形態について図１乃至図４を参照して説明する。
【００２４】
図１は本発明のミラー装置の一実施形態を示す一部省略した拡大斜視図、図２は図１のミラー装置を装備した本発明のカメラの一実施形態を示す断面図である。
【００２５】
先ず、カメラの概要について説明する。カメラはデジタルスチルカメラ２０で、図２に示すように、そのボディ２１の前面側（図２の左側）に撮影レンズ２２が交換可能に装着される。撮影レンズ２２の後方であってボディ２１の奥側（図２の右側）には撮像素子としてのＣＣＤ２３と、シャッタ２４とが配置される。
【００２６】
撮影レンズ２２とシャッタ２４（ＣＣＤ２３）との間の空間内には、クイックリターンミラー１１とサブミラー１２を装備したミラー装置１０が配置される。シャッタ２４が閉じているとき、クイックリターンミラー１１とサブミラー１２は、撮影光路内（図２の実線に示す位置）の観察位置にあり、撮影レンズ２２を介して入射した光のうち、クイックリターンミラー１１を反射した光を、ボディ２１内のミラー装置１０の上方位置に配置したプリズム２５を介してファインダ光学系２６に導く。一方、クイックリターンミラー１１はハーフミラーとなっており、クイックリターンミラー１１を透過した光はサブミラー１２によって反射され、不図示の測光・測距ユニットに導かれる。不図示のレリーズボタンを押圧し、これに連動してシャッタ２４が開くとき、クイックリターンミラー１１とサブミラー１２は、観察位置から撮影光路外の退避位置（図２の二点鎖線位置）に移動し、撮影レンズ２２を介して入射した光はＣＣＤ２３上に結像する。シャッター動作完了後は、クイックリターンミラー１１とサブミラー１２は、観察位置に復帰する。
【００２７】
ミラー装置１０は、上述したクイックリターンミラー１１とサブミラー１２と、クイックリターンミラー１１を揺動可能に支持するミラーボックス１３とを有する。クイックリターンミラー１１は、上述したように観察位置と退避位置との間で揺動して撮影レンズ２２を介して入射した光をファインダ光学系２６或いはＣＣＤ２３に導くもので、ミラーホルダー部１１ａとミラー部１１ｂを備える。ミラー部１１ｂはミラーホルダー部１１ａの開口部を覆うように接着剤で一体化されている。なお、ミラーホルダー部１１ａに開口部が設けられているのは、ミラー部１１ｂを透過した光をサブミラー１２へ導くためである。ミラーホルダー部１１ａの両側の上端（基部）にはミラーボックス１３の互いに対向する壁部１３ａ、１３ｂに揺動可能に支持される揺動中心部位１４ａ、１４ｂがそれぞれ設けてある。これら揺動中心部位１４ａ、１４ｂには変形低減機構１５がそれぞれ設けてある。
【００２８】
なお、揺動中心部位１４ａに設けられる変形低減機構１５と揺動中心部位１４ｂに設けられる変形低減機構１５は同じ構成なので、以下の説明では揺動中心部位１４ａに設けられる変形低減機構１５について説明し、揺動中心部位１４ｂに設けられる変形低減機構１５についてはその説明を省略する。
【００２９】
変形低減機構１５は、ミラーホルダー部１１ａに加わる衝撃を緩和し、ミラーホルダー部１１ａ自身に生じる弾性変形（例えば捩れ）の発生を抑制し、この弾性変形を低減させるもので、図１、図３に示すように、ミラーホルダー部１１ａの揺動中心部位１４ａと一体に形成されたリング状のホルダー１５ａと、ミラーホルダー部１１ａの揺動中心部位１４ａに設けられ、ミラーボックス１３の壁部１３ａに固定された支持軸１３ｃに揺動可能に支持される回転部材としての回転軸受１５ｂと、これらホルダー１５ａと回転軸受１５ｂとの間の空間に圧縮状態で挿入された変形低減部材としてのシリコンゴム製のリング１５ｃとを備える。
【００３０】
ホルダー１５ａは、図３に示すように、その内径が回転軸受１５ｂとリング１５ｃとを同心状に受け入れる寸法に設定され、その軸方向の寸法が回転軸受１５ｂやリング１５ｃの軸方向の寸法より若干短く設定される。
【００３１】
回転軸受１５ｂは、図３に示すように、壁部１３ａ側の端部に鍔部１５１ｂが一体に形成されており、この鍔部１５１ｂの一側面全体が壁部１３ａに回転可能に接触し、また回転軸受１５ｂの内周面が支持軸１３ｃの外周面に回転可能に接触して、安定した状態で支持軸１３ｃに回転可能に支持されるようにしてある。
【００３２】
リング１５ｃは、ホルダー１５ａの内周面と回転軸受１５ｂの外周面にそれぞれ密着して、クイックリターンミラー１１の停止時に揺動中心部位１４に加わる衝撃を弾性変形することによって吸収し、この衝撃を緩和減衰させクイックリターンミラー１１の変形を低減させる。なお、リング１５ｃとして耐久性に優れたシリコンゴムにより形成した場合を示したが、同じように耐久性に優れたブチルゴムにより形成してもよい。
【００３３】
一方の揺動中心部位１４ａを揺動可能に支持する、ミラーボックス１３の一方の壁部１３ａには、その内面下方部位に停止部材としての停止ピン１６が設けられる。この停止ピン１６は、ミラーホルダー部１１ａの自由端側であって壁部１３ａ側の部分が衝突して該クイックリターンミラー１１を観察位置に停止させる。また、ミラーボックスの両壁部１３ａ、１３ｂの内面上方部位には断面方形状の停止棒部材１７が設けられる。この停止棒部材１７は、ミラーホルダー部１１ａの自由端側の全面が衝突してクイックリターンミラー１１を退避位置に停止させる。停止棒部材１７は、例えば、その中心部に金属製の芯棒を配置し、その外周面をミラーホルダー部１１ａの衝突時の衝撃を緩和するウレタンフォームなどで被覆して構成される。
【００３４】
サブミラー１２は、上述したように観察位置にあるとき、クイックリターンミラー１１のミラー部１１ｂを透過した光を反射して測光・測距ユニットに導くもので、詳細に図示しないが、ミラーホルダー部とミラー部を有し、図２に示すように、ミラーホルダー部の両側の基部（上端部）がクイックリターンミラー１１のミラーホルダー部１１ａに揺動可能に支持される。ミラーホルダー部の基部（上端部）両側には、揺動中心部位１９ａ、１９ｂが設けてあり、これら揺動中心部位１９ａ、１９ｂには上述した変形低減機構１５と同じ構成の変形低減機構１５０がそれぞれ設けてある。変形低減機構１５０は、クイックリターンミラー１１（ミラーホルダー部１１ａ）が受けた衝撃がサブミラー１２に伝わったとき、このサブミラー１２に伝わった衝撃を緩和し、この衝撃によりサブミラー１２（ミラーホルダー部）自身に生じる弾性変形（例えば捩れ）の発生を抑制し、この弾性変形を低減させる。
【００３５】
次に、本実施形態のミラー装置１０の作用について説明する。
【００３６】
クイックリターンミラー１１が観察位置から退避位置に移動し、その自由端側の全面が停止棒状部材１７に衝突して退避位置に停止したとき（ミラーアップ時）、あるいは退避位置から観察位置に移動し、その自由端の一部がピン１６に衝突して観察位置に停止したとき（ミラーダウン時）、クイックリターンミラー１１（ミラーホルダー部１１ａ）はそれぞれの位置で衝撃を受ける。すなわち、ミラーアップ時にはミラーホルダー部１１ａの自由端側で、またミラーダウン時にはピン１６側にあるミラーホルダー部１１ａの自由端側の部分で、それぞれ衝撃を受ける。また、サブミラー１２もミラーホルダー部１１ａに加えられた衝撃を受ける。
【００３７】
この衝撃は、ミラーボックス１３に拘束された箇所である、揺動中心部位１４ａ、１４ｂに伝わる。揺動中心部位１４ａ、１４ｂに伝えられた衝撃は、ミラーホルダー部１１ａと一体のホルダー１５ａからリング１５ｃを介して回転軸受１５ｂにラジアル方向に作用するが、リング１５ｃの弾性変形で吸収されて緩和される。
【００３８】
また、衝撃により回転軸受１５ｂが支持軸１３ｃに対し傾いてミラーホルダー部１１ａの揺動中心部位１４ａ、１４ｂ側で捩れが生じようとするが、衝撃は上述したようにリング１５ｃの弾性変形で吸収緩和され、回転軸受１５ｂに伝わるのは僅かであり、回転軸受１５ｂが支持軸１３ｃに対し傾いたり、振動したりしてミラーホルダー部１１ａの揺動中心部位１４ａ、１４ｂ側で生じる捩れによる振動は押さえられる。
【００３９】
さらに、ミラーホルダー部１１ａの揺動中心部位１４ａ、１４ｂ側での捩れによる振動が押さえられることから、クイックリターンミラー１１のバウンドが減少する。
【００４０】
サブミラー１２についても、クイックリターンミラー１１のミラーホルダー部１１ａに支持されて拘束された、その揺動中心部位１９ａ、１９ｂに衝撃が加わるが、揺動中心部位１９ａ、１９ｂに設けた変形低減機構１５０により上述したように緩和される。
【００４１】
したがって、本実施形態のミラー装置１０を装備したカメラ２０では、クイックリターンミラー１１、サブミラー１２が退避位置から観察位置に移動した際、これらクイックリターンミラー１１、サブミラー１２に生じるバウンドが直ぐに収まることから、バウンドが収まるまで待機する時間が短縮され、余り待機することなく、撮影レンズ２２を介して入射した光のうち、クイックリターンミラー１１を透過した光をサブミラー１２によって反射し、不図示の測光・測距ユニットに導くことができ、単位時間当たりの連続撮影のコマ数を増加することが可能になる。
【００４２】
上記実施形態では、揺動中心部位１４ａ、１４ｂの双方にそれぞれ変形低減機構１５を設けた場合を示したが、これに限定されるものではなく、何れか一方にのみ変形低減機構１５を設けてもよい。
【００４３】
この場合、停止ピン１６を設けた壁部１３ａに支持される一方の揺動中心部位１４ａに変形低減機構１５を設けるのが好ましい。この揺動中心部位１４ａは、停止ピン１６に衝突するミラーホルダー部１１ａの部分に近く、衝突時に他方の揺動中心部位１４ｂよりも大きな衝撃が加わる箇所だからである。ここで衝撃を緩和すればミラーホルダー部１１ａ全体に作用する衝撃を効果的に緩和させることが可能となる。
【００４４】
このように、一方の揺動中心部位１４ａにのみ変形低減機構１５を設けた場合、他方の揺動中心部位１４ｂを揺動可能に支持するミラーボックス１３の他方の壁部１３ｂには、図４に示すように、揺動中心部位１４ｂの壁部１３ｂに対する取り付け位置を調整するための位置調整機構１８を配置することが出来る。
【００４５】
この位置調整機構１８は、揺動中心部位１４ｂを揺動可能に支持する支持軸１３ｃ（図１参照）を固定した位置調整板１８ａと、この位置調整板１８ａを壁部１３ｂに固定する有頭ネジ１８ｂと、位置調整板１８ａに形成した貫通穴１８ｃとを有する。この貫通穴１８ｃを介して有頭ネジ１８ｂが壁部１３ｂに形成した不図示のネジ穴に螺合するが、貫通穴１８ｃの寸法は有頭ネジ１８ｂの軸部の外径より僅かに大きく設定されている。したがって、有頭ネジ１８ｂをネジ穴に締め付ける前に位置調整板１８ａを壁部１３ｂに対し若干スライドさせることにより、支持軸１３ｃの位置（支持軸１３ｃに揺動可能に支持された揺動中心部位１４ｂの取り付け位置）を調整することができる。位置調整後は、有頭ネジ１８ｂをネジ穴に締め付けて位置調整板１８ａを壁部１３ｂに固定する。
【００４６】
また、上記実施形態では、変形低減機構１５に回転軸受１５ｂを設け、壁部１３ａ、１３ｂにこの回転軸受１５ｂを回転可能に支持する支持軸１３ｃを設けた場合を示したが、これに限定されるものではなく、例えば変形低減機構１５に回転軸を設け、壁部１３ａ、１３ｂにこの回転軸を回転可能に支持する軸受を設けてもよい。
【図面の簡単な説明】
【００４７】
【図１】本発明のミラー装置の一実施形態を示す一部省略した拡大斜視図である。
【図２】図１のミラー装置を装備した本発明のカメラの一実施形態を示す断面図である。
【図３】図１のミラー装置の変形低減機構部分の拡大断面図である。
【図４】図１のミラー装置に位置調整機構を装備した別の実施形態を示す側面図である。
【符号の説明】
【００４８】
１０            ミラー装置                １１            クイックリターンミラー
１１ａ          ミラーホルダー部          １２            サブミラー
１３            ミラーボックス            １４ａ、１４ｂ  揺動中心部位
１５            変形低減機構              １５ａ          ホルダー
１５ｂ          回転部材（回転軸受）      １５ｃ          変形低減部材（リング）
１６            停止部材（停止ピン）      １７            停止棒部材
１８            位置調整機構              １９ａ、１９ｂ  揺動中心部位
１５０          変形低減機構
【図１】
2007322846.tif 000003
【図２】
2007322846.tif 000004
【図３】
2007322846.tif 000005
【図４】
2007322846.tif 000006